【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
特性が異なる複数の光源の下においてチャートを撮影して取得した、前記チャートが有するパッチの画像データと前記複数の光源の特性の関係を記録したテーブルを、前記チャートの撮影装置ごとに、かつ、前記チャートの印刷条件ごとに保持する保持手段と、
照明光の特性の推定に使用する撮影装置の特定情報、および、前記照明光の特性の推定に使用するチャートの印刷条件を推定条件として入力する第一の入力手段と、
前記照明光の下で、前記撮影装置により撮影した前記チャートの画像データを入力する第二の入力手段と、
前記推定条件に対応する前記テーブルおよび前記入力した画像データから前記照明光の特性を推定する推定手段と、
撮影装置の特定情報と照明光の特性の組み合わせに対応する色変換マトリクス、および、チャートが有する各パッチのデバイスRGB値を格納する格納手段と、
前記入力された特定情報と前記推定した特性の組み合わせに対応する色変換マトリクスを用いて、前記入力した画像データに含まれる複数のパッチの画像データを色値に変換する変換手段と、
前記複数のパッチの色値と、前記入力された印刷条件に対応するチャートが有する各パッチのデバイスRGB値の関係を示す色変換テーブルを作成する作成手段とを有することを特徴とする色処理装置。
【請求項２】
前記照明光の特性は、色温度の指標および演色性タイプであることを特徴とする請求項1に記載された色処理装置。
【請求項３】
特性が異なる複数の光源の下においてチャートを撮影して取得した、前記チャートが有するパッチの画像データと前記複数の光源の特性の関係を記録したテーブルを、前記チャートの撮影装置ごとに、かつ、前記チャートの印刷条件ごとに保持する保持手段と、
照明光の特性の推定に使用する撮影装置の特定情報、および、前記照明光の特性の推定に使用するチャートの印刷条件を推定条件として入力する第一の入力手段と、
前記照明光の下で、前記撮影装置により撮影した前記チャートの画像データを入力する第二の入力手段と、
前記推定条件に対応する前記テーブルおよび前記入力した画像データから前記照明光の特性を推定する推定手段とを有し、
前記照明光の特性は色温度の指標および演色性タイプであり、前記保持手段が保持するテーブルは色温度テーブルおよび演色性タイプテーブルを有し、
前記色温度テーブルには、前記色温度の指標が異なる複数の光源の下においてチャートを撮影して取得した、前記チャートが有する所定のパッチの画像データと前記色温度の指標の関係が記録され、
前記演色性タイプテーブルには、前記色温度の指標および前記演色性タイプが異なる複数の光源の下において前記チャートを撮影して取得した、前記チャートが有する複数のパッチの画像データと前記色温度の指標および前記演色性タイプの関係が記録されていることを特徴とする色処理装置。
【請求項４】
前記推定手段は、前記色温度テーブルに記録された前記所定のパッチの色度値と、前記入力した画像データに含まれる前記所定のパッチに対応するパッチの色度値を比べて、前記照明光の特性として前記色温度の指標を推定することを特徴とする請求項3に記載された色処理装置。
【請求項５】
前記推定手段は、前記演色性タイプテーブルに記録された、前記推定した色温度の指標に対応する複数のパッチのRGB値と、前記入力した画像データに含まれる前記複数のパッチに対応するパッチのRGB値を比べて、前記照明光の特性として前記演色性タイプを推定することを特徴とする請求項3に記載された色処理装置。
【請求項６】
さらに、撮影装置のフィルタ特性、チャートが有する各パッチの分光反射率特性、並びに、前記色温度の指標および前記演色性タイプが異なる複数の照明光の分光分布特性を格納する格納手段と、
前記フィルタ特性および前記分光分布特性から、前記撮影装置のRGBフィルタ透過後の分光分布を算出する算出手段と、
前記算出した分光分布を参照して、前記演色性タイプが異なる複数の照明光の間で前記撮影装置の分光感度の差が大きい波長域を検出する検出手段と、
前記分光反射率特性を参照して、前記検出した波長域において分光反射率が大きいパッチを判定する判定手段と、
前記判定したパッチの、前記撮影装置によって撮影された画像データから前記演色性タイプテーブルを作成する作成手段とを有することを特徴とする請求項3から請求項5の何れか一項に記載された色処理装置。
【請求項７】
特性が異なる複数の光源の下においてチャートを撮影して取得した、前記チャートが有するパッチの画像データと前記複数の光源の特性の関係を記録したテーブルを、前記チャートの撮影装置ごとに、かつ、前記チャートの印刷条件ごとに保持する保持手段、並びに、撮影装置の特定情報と照明光の特性の組み合わせに対応する色変換マトリクス、および、チャートが有する各パッチのデバイスRGB値を格納する格納手段を有する色処理装置の色処理方法であって、
照明光の特性の推定に使用する撮影装置の特定情報、および、前記照明光の特性の推定に使用するチャートの印刷条件を推定条件として入力し、
前記照明光の下で、前記撮影装置により撮影した前記チャートの画像データを入力し、
前記推定条件に対応する前記テーブル、並びに、前記入力した画像データから前記照明光の特性を推定し、
前記入力された特定情報と前記推定した特性の組み合わせに対応する色変換マトリクスを用いて、前記入力した画像データに含まれる複数のパッチの画像データを色値に変換し、
前記複数のパッチの色値と、前記入力された印刷条件に対応するチャートが有する各パッチのデバイスRGB値の関係を示す色変換テーブルを作成することを特徴とする色処理方法。
【請求項８】
特性が異なる複数の光源の下においてチャートを撮影して取得した、前記チャートが有するパッチの画像データと前記複数の光源の特性の関係を記録したテーブルを、前記チャートの撮影装置ごとに、かつ、前記チャートの印刷条件ごとに保持する保持手段を有する色処理装置の色処理方法であって、
照明光の特性の推定に使用する撮影装置の特定情報、および、前記照明光の特性の推定に使用するチャートの印刷条件を推定条件として入力し、
前記照明光の下で、前記撮影装置により撮影した前記チャートの画像データを入力し、
前記推定条件に対応する前記テーブルおよび前記入力した画像データから前記照明光の特性を推定し、
前記照明光の特性は色温度の指標および演色性タイプであり、前記保持手段が保持するテーブルは色温度テーブルおよび演色性タイプテーブルを有し、
前記色温度テーブルには、前記色温度の指標が異なる複数の光源の下においてチャートを撮影して取得した、前記チャートが有する所定のパッチの画像データと前記色温度の指標の関係が記録され、
前記演色性タイプテーブルには、前記色温度の指標および前記演色性タイプが異なる複数の光源の下において前記チャートを撮影して取得した、前記チャートが有する複数のパッチの画像データと前記色温度の指標および前記演色性タイプの関係が記録されていることを特徴とする色処理方法。
【請求項９】
コンピュータを請求項1から請求項6の何れか一項に記載された色処理装置の各手段として機能させるためのプログラム。
【手続補正２】
【補正対象書類名】明細書
【補正対象項目名】００１２
【補正方法】変更
【補正の内容】
【００１２】
本発明にかかる色処理装置は、特性が異なる複数の光源の下においてチャートを撮影して取得した、前記チャートが有するパッチの画像データと前記複数の光源の特性の関係を記録したテーブルを、前記チャートの撮影装置ごとに、かつ、前記チャートの印刷条件ごとに保持する保持手段と、照明光の特性の推定に使用する撮影装置の特定情報、および、前記照明光の特性の推定に使用するチャートの印刷条件を推定条件として入力する第一の入力手段と、前記照明光の下で、前記撮影装置により撮影した前記チャートの画像データを入力する第二の入力手段と、前記推定条件に対応する前記テーブルおよび前記入力した画像データから前記照明光の特性を推定する推定手段と、撮影装置の特定情報と照明光の特性の組み合わせに対応する色変換マトリクス、および、チャートが有する各パッチのデバイスRGB値を格納する格納手段と、前記入力された特定情報と前記推定した特性の組み合わせに対応する色変換マトリクスを用いて、前記入力した画像データに含まれる複数のパッチの画像データを色値に変換する変換手段と、前記複数のパッチの色値と、前記入力された印刷条件に対応するチャートが有する各パッチのデバイスRGB値の関係を示す色変換テーブルを作成する作成手段とを有することを特徴とする。
【手続補正３】
【補正対象書類名】明細書
【補正対象項目名】００２８
【補正方法】変更
【補正の内容】
【００２８】
処理の開始が指示されると、UI部105はUIを表示する(S201)。図3によりUI部105が表示するUIの一例を示す。ユーザは、図3に示すUIのドロップダウンコンボボックス303から305を操作して、撮影装置12の名称や型番、推定チャートの印刷に使用したプリンタの名称や型番および記録紙の種類（例えば、普通紙、光沢紙、マット紙など）または型番を設定する。なお、以下では、ユーザが設定した撮影装置12の特定情報、プリンタの特定情報、および、記録紙の特定情報を合わせて「推定条件」と呼ぶ。
【手続補正４】
【補正対象書類名】明細書
【補正対象項目名】００５４
【補正方法】変更
【補正の内容】
【００５４】
［照明特性データベースの作成］
照明特性保持部104が保持する照明特性データベースの作成は、推定に用いるパッチの選択と、テーブルを作成する処理（以下、テーブル作成処理）の二つに分けられる。パッチの選択は、色温度の指標の推定に用いるパッチの選択と、演色性タイプの判別に用いるパッチの選択を含む。
【手続補正５】
【補正対象書類名】明細書
【補正対象項目名】００６１
【補正方法】変更
【補正の内容】
【００６１】
図11によりフィルタ特性データの一例を、図12により分光分布データの一例を、図13によりあるパッチ（R=192、G=0、B=255）の分光反射率データの一例を示す。フィルタ特性データは、可視域（380-780nm）の範囲を例えば10nm刻みにした各波長における撮影装置のRGB各色フィルタの分光感度を記述したデータである。また、分光分布データはある色温度の指標に対応する照明光の、可視域の範囲を例えば10nm刻みにした各波長における光の強度を、演色性タイプごとに記述したデータである。また、分光反射率データは、可視域の範囲を例えば10nm刻みにした各波長におけるパッチの分光反射率を記述したデータである。
【手続補正６】
【補正対象書類名】明細書
【補正対象項目名】００８４
【補正方法】変更
【補正の内容】
【００８４】
レリーズボタンが押されると(S904)、制御部114と撮影部111は撮影を行い、チャート画像データがメモリ106に格納される(S905)。推定チャートの撮影に関する注意事項は実施例1と同様である。